(57)【要約】【課題】部品点数が少なく、廉価な型締機構を得る。【解決手段】リアプラテン２と可動プラテン３間にリンク機構６を配設する。リンク機構の第１、第２の部材６ａ，６ｂはピン７で回動自在に連結されている。第１の部材６ａの他端は可動プラテン３にピン８で回動自在に連結されている。第２の部材６ｂの他端はリアプラテン２に設けた直線ガイド９に連結されている。リアプラテン２には、リニアモータを構成する固定子１２が設けられ、第２の部材６ｂには固定子１２を囲繞するような形状の可動子１３が設けられている。リニアモータを駆動することによって第２の部材６ｂを直線移動させ、リンク機構６を伸縮させることによって、金型５の開閉及び型締めを行う。型締機構の部品点数は少なくてすみ、大きな型締め力を得ることができ、廉価な射出成形機の型締機構を得ることができる。【選択図】　　　図１
2004050717.tif 000002
【特許請求の範囲】
【請求項１】
複数のタイバーで結合された固定プラテンとリアプラテンと、前記タイバーに挿通された可動プラテンとを備え、前記リアプラテンと前記可動プラテンとをリンク機構で連結し、該リンク機構によって前記可動プラテンを前記タイバーに沿って移動可能にした射出成形機の型締機構において、
前記リンク機構は、前記可動プラテンに回動可能に連結された第１の部材と、前記リアプラテンに摺動自在に連結された第２の部材とを備え、前記第１の部材と第２の部材が回転可能に連結されると共に、前記第２の部材を直線駆動モータにより駆動することを特徴とする射出成形機の型締機構。
【請求項２】
前記リアプラテンの一側端及び該一側端に対向する側端に可動プラテン側に延設される棹部を設け、
前記直線駆動モータの固定子をリアプラテンの前記両棹部間に架設し、
第２の部材を二股構造とし、該第２の部材の二股部に前記直線駆動モータの固定子を囲繞するように直線駆動モータの可動子を設けたことを特徴とする請求項１記載の射出成形機の型締機構。
【請求項３】
前記リアプラテンに直線駆動モータの固定子と、該固定子と平行な直線ガイドを設け、
前記第２の部材に直線駆動モータの可動子と前記直線ガイドに摺動可能に連結されたスライダを設けたことを特徴とする請求項１記載の射出成形機の型締機構。
【発明の詳細な説明】
【０００１】
【発明の属する技術分野】
本発明は射出成形機の型締機構に関する。
【０００２】
【従来の技術】
射出成形機の型締機構としては、モータ等の駆動源によって直接可動プラテンを駆動して該可動プラテンと固定プラテンに取り付けられている金型の開閉及び型締めを行う直圧式型締機構や、ダブルトグルやシングルトグルで可動プラテンを駆動して金型の開閉及び型締めを行うトグル式型締機構、さらにはクランク機構によって金型の開閉、型締めを行うクランク式型締機構が公知である。
【０００３】
上述したような型締機構を駆動するには、通常回転式モータが使用され、ボールネジ／ナット機構や減速機等を用いて、モータの回転運動を直線運動に変え又は減速して可動プラテンを駆動して金型の開閉及び型締めを行っている。
【０００４】
【発明が解決しようとする課題】
小型射出成形機の場合、その型締機構も小型化され構成部品も小型化する。小型部品はその製造量が少なく単価が高くなる場合が多い。また部品によっては都合のよいサイズがない場合もある。このため、ダブルトグル機構のような部品点数の多い機構を小型化して製造するには高価なものになってしまう。従って、小型の電動式射出成形機においては、ボールネジを使用した直圧式型締機構が多く採用されている。
【０００５】
しかし、ボールネジを使用した直圧式型締機構では型開閉速度が遅い、型締ロックアップ時の推力による影響により駆動モータとして大型のものを使用しなければならない等の問題がある。このため、クランク機構を用いて、モータの回転運動を直線運動に変換し金型を開閉、締付けるクランク式型締機構が考えられるが、この場合、減速機を必要とし部品点数を大幅に減らすことができない。
【０００６】
そこで、本願発明の目的は、小型射出成形機の型締機構に適し、従来の型締機構に比べ部品点数の少ない、トータルコストを削減できる射出成形機の型締機構を提供することにある。
【０００７】
【課題を解決するための手段】
本発明は、複数のタイバーで結合された固定プラテンとリアプラテンと、前記タイバーに挿通された可動プラテンとを備え、前記リアプラテンと前記可動プラテンとをリンク機構で連結し、該リンク機構によって前記可動プラテンを前記タイバーに沿って移動可能にした射出成形機の型締機構において、前記リンク機構は、前記可動プラテンに回動可能に連結された第１の部材と、前記リアプラテンに摺動自在に連結された第２の部材とを備え、前記第１の部材と第２の部材が回転可能に連結されると共に、前記第２の部材を直線駆動モータにより駆動することを特徴とする。特に、前記リアプラテンの一側端及び該一側端に対向する側端に可動プラテン側に延設される棹部を設け、前記直線駆動モータの固定子をリアプラテンの前記両棹部間に架設し、第２の部材を二股構造とし、該第２の部材の二股部に前記直線駆動モータの固定子を囲繞するように直線駆動モータの可動子を設けるようにした。又は、前記リアプラテンに直線駆動モータの固定子と、該固定子と平行な直線ガイドを設け、前記第２の部材に直線駆動モータの可動子と前記直線ガイドに摺動可能に連結されたスライダを設けるようにした。
【０００８】
【発明の実施の形態】
図１、図２は、本発明の第１の実施形態の型締機構の斜視図である。又、図３，図４は同実施形態における正面図である。図１、図３はリンク機構を伸ばし、金型を締め付けたロックアップした状態を示し、図２、図４はリンク機構を屈曲させ金型を開いた状態を示している。
射出成形機のベースに固定されている固定プラテン１とリアプラテン２は複数（この実施形態では４本）のタイバー４で連結されている。該固定プラテン１とリアプラテン２の間には可動プラテン３がタイバー４に沿って平行移動可能に配設されている。リアプラテン２と可動プラテン３間には、回動可能な連結部を設けて屈曲可能にしたリンク機構６が設けられ、該リンク機構６の一端は可動プラテン３に連結され他端はリアプラテン２に連結されている。
【０００９】
詳しくは、リンク機構６を構成する第１の部材６ａの一端と第２の部材６ｂの一端がピン７により回動自在に連結され、第１の部材６ａの他端は可動プラテンにピン８で回動自在に結合されている。また第２の部材６ｂの他端はリアプラテン２に設けられた直線ガイド９に摺動可能に連結されたスライダ９’を備えている。
【００１０】
またリアプラテン２の一側端と対向する側端には棹部１０、１１が可動プラテン３側に延設されている。この実施形態ではリアプラテン２の上端、下端から棹部１０，１１が延設されている。第２の部材６ｂにおける第１の部材６ａとの枢着側は、二股構造とされている。この二股構造の中心部を通り上下の棹部１０，１１間には直線駆動モータ（リニアモータ）を構成する固定子（コイル）１２が架設されている。さらに、第２の部材６ｂの二股構造部には、該固定子１２を囲繞するように直線駆動モータの可動子（磁石）１３が設けられている。なお、符号５は金型である。
【００１１】
そこで、図１、図３の状態から、直線駆動モータを駆動し、第２の部材６ｂを直線ガイド９に沿って下降させると、リンク機構６の第１、第２の部材はピン７を中心に屈曲し、第２の部材６ｂが最下部位置に達し、図２、図４の状態になると、固定プラテン１と可動プラテン３にそれぞれ取り付けられた金型５は、最大に開いた状態となる。また、直線駆動モータを逆方向に駆動すると、第２の部材６ｂは直線ガイド９にガイドされて上昇し、図２の状態から図１の状態へ移行し、リンク機構６が直線状に伸びた図１で示されるロックアップ状態となり、可動プラテン３が固定プラテン１側に最大に近接し、金型５を締め付けることになる。
【００１２】
以上のように、直線駆動モータを駆動することによってリンク機構６の第２の部材６ｂをリアプラテン２に設けた直線ガイド９に沿って移動させることにより、リンク機構６を伸縮させて可動プラテン３を固定プラテン１に対して、近接、離間させることにより、固定プラテン１と可動プラテン３に取り付けた金型５の開閉及び型締めが行われる。しかも、リンク機構が倍力機構として作用するので、大きな型締め力を得ることができる。
【００１３】
上述した第１の実施形態では、円筒型の直線駆動モータ（リニアモータ）を使用したが、平面型の直線駆動モータ（リニアモータ）を使用してもよい。図５〜図７はこの平面型の直線駆動モータ（リニアモータ）を使用した、本発明の第２の実施形態を示す図である。図５は、リンク機構を伸ばし、金型を締め付けたロックアップした状態を示し、図６はリンク機構を屈曲させ金型を開いた状態を示している。又、図７は固定プラテン部の平面図である。
【００１４】
第１の実施形態と相違する点は、棹部１０と棹部１１の間に設けられていた直線駆動モータの固定子１２、及び、第２の部材６ｂの二股構造部に設けられていた可動子１３が削除され、リアプラテン２に直線ガイド９と並行に直線駆動モータの固定子（コイル）１４が取り付けられ、該固定子１４に対向するように直線駆動モータの可動子（磁石）１５が第２の部材６ｂに取り付けられている。
【００１５】
この直線駆動モータを駆動することによって、リンク機構６の第２の部材６ｂに設けられたスライダ９’が、リアプラテン２に設けた直線ガイド９に沿って移動させることにより、第２の部材６ｂも直線移動しリンク機構６を伸縮される。図５は、リンク機構６を伸長させて金型５を締め付けた型締め状態を示している。又、図６は、リンク機構６を縮小させて金型５を開いた状態を示している。
【００１６】
【発明の効果】
本発明は、リンク機構の一方の部材を直線駆動モータで駆動するようにしたので、型締機構の部品点数が少なくてすみ、かつ、リンク機構の倍力構造を利用するので、小型のモータで大きな型締め力を得ることができ、廉価な射出成形機の型締機構を得ることができる。
【図面の簡単な説明】
【図１】本発明の第１の実施形態における型締機構でのロックアップ状態を示す斜視図である。
【図２】同第１の実施形態における最大に型開きを行ったときの状態を示す斜視図である。
【図３】同第１の実施形態の型締機構におけるロックアップ状態を示す正面図である。
【図４】同第１の実施形態の型締機構において最大に型開きを行ったときの状態を示す正面図である。
【図５】本発明の第２実施形態における型締機構でのロックアップ状態を示す正面図である。
【図６】同第２実施形態の型締機構において最大に型開きを行ったときの状態を示す正面図である。
【図７】同第２実施形態における固定プラテン部の平面図である。
【符号の説明】
１　固定プラテン
２　リアプラテン
３　可動プラテン
４　タイバー
５　金型
６　リンク機構
６ａ　第１の部材
６ｂ　第２の部材
７，８　ピン
９　直線ガイド
９’　スライダ
１０，１１　棹部
１２，１４　固定子
１３，１５　可動子
【図１】
2004050717.tif 000003
【図２】
2004050717.tif 000004
【図３】
2004050717.tif 000005
【図４】
2004050717.tif 000006
【図５】
2004050717.tif 000007
【図６】
2004050717.tif 000008
【図７】
2004050717.tif 000009